(57)【要約】【課題】複数の画像表示装置に表示される色を合わせることが可能な画像表示システム及びその制御方法を提供する。【解決手段】サーバーは、２つの画像表示装置のプロファイルに基づいて、ｘｙ色度図上における各画像表示装置の色域Ｇａ，Ｇｂを特定し、特定した２つの色域Ｇａ，Ｇｂが交わる領域を、双方の画像表示装置で共通に表示可能な共通色域Ｇｗとして決定する。そして、サーバーは、クライアントシステムから入力される画像情報が表す色を、共通色域Ｇｗ内の色に変換するための変換テーブルを生成する。クライアントシステムからサーバーに画像情報が入力されると、サーバーは、生成した変換テーブルに基づいて、色を変換する処理（色変換処理）を行う。この色変換により、サーバーに入力された画像情報は、共通色域Ｇｗ内の色によって表される画像情報に変換され、カラーマッチングがなされる。【選択図】図６
2013097649.tif 000002
【特許請求の範囲】
【請求項１】
第１の画像表示装置が接続された第１のクライアントと、
前記第１の画像表示装置が表示する画像を撮像する第１の撮像装置と、
第２の画像表示装置が接続された第２のクライアントと、
前記第２の画像表示装置が表示する画像を撮像する第２の撮像装置と、
前記第１のクライアント及び前記第２のクライアントにネットワークを介して接続され、前記第１のクライアント及び前記第２のクライアントとの間で画像情報の入出力を行うサーバーと、
を備えた画像表示システムであって、
前記サーバーは、
色見本を含んで構成されるカラーチャートを表示するためのカラーチャート画像情報を記憶する記憶部と、
前記第１のクライアント及び前記第２のクライアントに前記カラーチャート画像情報を出力して、前記第１の画像表示装置及び前記第２の画像表示装置に前記カラーチャートを表示させるカラーチャート出力部と、
前記第１の画像表示装置に表示された前記カラーチャートを前記第１の撮像装置で撮像して生成された第１の撮像画像情報が前記第１のクライアントから入力されるとともに、前記第２の画像表示装置に表示された前記カラーチャートを前記第２の撮像装置で撮像して生成された第２の撮像画像情報が前記第２のクライアントから入力される撮像画像入力部と、
前記第１の撮像画像情報に基づいて、前記第１の画像表示装置に関して色空間の変換を行う第１のモニタープロファイルを生成するとともに、前記第２の撮像画像情報に基づいて、前記第２の画像表示装置に関して色空間の変換を行う第２のモニタープロファイルを生成するモニタープロファイル生成部と、
前記第１のクライアント又は前記第２のクライアントから入力された前記画像情報が表す色を、前記第１のモニタープロファイル及び前記第２のモニタープロファイルに基づいて変換する色変換処理を行って、前記第１の画像表示装置と前記第２の画像表示装置のカラーマッチングを行い、前記色変換処理後の画像情報を前記第１のクライアント及び前記第２のクライアントの双方に出力する処理部と、
を備え、
前記第１のクライアントは、前記処理後の画像情報に基づく画像を前記第１の画像表示装置に表示させ、
前記第２のクライアントは、前記処理後の画像情報に基づく画像を前記第２の画像表示装置に表示させることを特徴とする画像表示システム。
【請求項２】
請求項１に記載の画像表示システムであって、
前記記憶部は、前記第１の撮像装置に関して色空間の変換を行う第１の入力プロファイル、及び前記第２の撮像装置に関して色空間の変換を行う第２の入力プロファイルをさらに記憶しており、
前記モニタープロファイル生成部は、前記カラーチャート画像情報、前記第１の撮像画像情報、前記第２の撮像画像情報、前記第１の入力プロファイル、及び前記第２の入力プロファイルに基づいて、前記第１のモニタープロファイル及び前記第２のモニタープロファイルを生成することを特徴とする画像表示システム。
【請求項３】
請求項２に記載の画像表示システムであって、
前記モニタープロファイル生成部は、前記第１の撮像画像情報及び前記第２の撮像画像情報に基づいて、前記カラーチャートに含まれる前記色見本の色データを導出し、前記第１の入力プロファイル及び前記第２の入力プロファイルに基づいて、前記色データを所定の色空間上の物理データに変換し、前記物理データ及び前記カラーチャート画像情報に基づいて、前記第１のモニタープロファイル及び前記第２のモニタープロファイルを生成することを特徴とする画像表示システム。
【請求項４】
請求項１〜３のいずれか一項に記載の画像表示システムであって、
前記処理部は、前記画像情報が表す色を、前記第１の画像表示装置で表示可能な色域と、前記第２の画像表示装置で表示可能な色域とが交わる共通色域内に収まるように変換する処理を行うことを特徴とする画像表示システム。
【請求項５】
請求項４に記載の画像表示システムであって、
前記サーバーは、前記第１のモニタープロファイル及び前記第２のモニタープロファイルに基づいて前記共通色域を導出し、前記画像情報が表す色を前記共通色域内の色に変換する変換テーブルを生成する変換テーブル生成部をさらに備え、
前記処理部は、前記第１のクライアント又は前記第２のクライアントから入力された前記画像情報に対して、前記変換テーブルに基づいて前記色変換処理を行うことを特徴とする画像表示システム。
【請求項６】
第１の画像表示装置が接続された第１のクライアントと、
前記第１の画像表示装置が表示する画像を撮像する第１の撮像装置と、
第２の画像表示装置が接続された第２のクライアントと、
前記第２の画像表示装置が表示する画像を撮像する第２の撮像装置と、
前記第１のクライアント及び前記第２のクライアントにネットワークを介して接続され、前記第１のクライアント及び前記第２のクライアントとの間で画像情報の入出力を行うサーバーと、
を備えた画像表示システムの制御方法であって、
前記サーバーが、色見本を含んで構成されるカラーチャートを表示するためのカラーチャート画像情報を、前記第１のクライアント及び前記第２のクライアントに出力して、前記第１の画像表示装置及び前記第２の画像表示装置に前記カラーチャートを表示させるカラーチャート出力ステップと、
前記第１のクライアントが、前記第１の画像表示装置に表示された前記カラーチャートを前記第１の撮像装置で撮像して生成された第１の撮像画像情報を前記サーバーに出力するとともに、前記第２のクライアントが、前記第２の画像表示装置に表示された前記カラーチャートを前記第２の撮像装置で撮像して生成された第２の撮像画像情報を前記サーバーに出力する撮像画像出力ステップと、
前記サーバーが、前記第１の撮像画像情報に基づいて、前記第１の画像表示装置に関して色空間の変換を行う第１のモニタープロファイルを生成するとともに、前記第２の撮像画像情報に基づいて、前記第２の画像表示装置に関して色空間の変換を行う第２のモニタープロファイルを生成するモニタープロファイル生成ステップと、
前記サーバーが、前記第１のクライアント又は前記第２のクライアントから入力された前記画像情報が表す色を、前記第１のモニタープロファイル及び前記第２のモニタープロファイルに基づいて変換する色変換処理を行って、前記第１の画像表示装置と前記第２の画像表示装置のカラーマッチングを行い、前記色変換処理後の画像情報を前記第１のクライアント及び前記第２のクライアントの双方に出力する処理ステップと、
前記第１のクライアントが、前記処理後の画像情報に基づく画像を前記第１の画像表示装置に表示させるとともに、前記第２のクライアントが、前記処理後の画像情報に基づく画像を前記第２の画像表示装置に表示させる表示ステップと、
を備えたことを特徴とする画像表示システムの制御方法。
【請求項７】
請求項６に記載の画像表示システムの制御方法であって、
前記モニタープロファイル生成ステップでは、前記カラーチャート画像情報、前記第１の撮像画像情報、及び前記第２の撮像画像情報に加えて、前記第１の撮像装置に関して色空間の変換を行う第１の入力プロファイル、及び前記第２の撮像装置に関して色空間の変換を行う第２の入力プロファイルに基づいて、前記第１のモニタープロファイル及び前記第２のモニタープロファイルを生成することを特徴とする画像表示システムの制御方法。
【請求項８】
請求項７に記載の画像表示システムの制御方法であって、
前記モニタープロファイル生成ステップでは、前記第１の撮像画像情報及び前記第２の撮像画像情報に基づいて、前記カラーチャートに含まれる前記色見本の色データを導出し、前記第１の入力プロファイル及び前記第２の入力プロファイルに基づいて、前記色データを所定の色空間上の物理データに変換し、前記物理データ及び前記カラーチャート画像情報に基づいて、前記第１のモニタープロファイル及び前記第２のモニタープロファイルを生成することを特徴とする画像表示システムの制御方法。
【請求項９】
請求項６〜８のいずれか一項に記載の画像表示システムの制御方法であって、
前記処理ステップでは、前記画像情報が表す色を、前記第１の画像表示装置で表示可能な色域と、前記第２の画像表示装置で表示可能な色域とが交わる共通色域内に収まるように変換する処理を行うことを特徴とする画像表示システムの制御方法。
【請求項１０】
請求項９に記載の画像表示システムの制御方法であって、
前記サーバーが、前記第１のモニタープロファイル及び前記第２のモニタープロファイルに基づいて前記共通色域を導出し、前記画像情報が表す色を前記共通色域内の色に変換する変換テーブルを生成する変換テーブル生成ステップをさらに備え、
前記処理ステップでは、前記第１のクライアント又は前記第２のクライアントから入力された前記画像情報に対して、前記変換テーブルに基づいて前記色変換処理を行うことを特徴とする画像表示システムの制御方法。
【発明の詳細な説明】
【技術分野】
【０００１】
本発明は、複数の画像表示装置に画像を表示する画像表示システム及びその制御方法に関する。
【背景技術】
【０００２】
遠隔地間で会議を行うテレビ会議システムのように、異なる場所（拠点）に設置された複数の画像表示装置に共通の画像を表示するシステムにおいて、各拠点の画像表示装置の種類等が異なると、表示される画像の色（表示色）が異なってしまうため、複数の画像表示装置の表示色を合わせる技術が種々提案されている（例えば、特許文献１参照）。特許文献１では、複数の画像表示装置（映像出力装置）の中の１つをマスターとして定め、各拠点において、画像表示装置の表示色をマスターに合わせるための色変換データを生成し、この色変換データに基づいて表示色を調整する技術が記載されている。マスターには、例えば、複数の画像表示装置の中で最も色再現範囲が狭い画像表示装置が選定される。
【先行技術文献】
【特許文献】
【０００３】
【特許文献１】特開２０１０−２６８０６５号公報
【発明の概要】
【発明が解決しようとする課題】
【０００４】
しかしながら、特許文献１に記載の技術では、各画像表示装置において、その色再現範囲とマスターの色再現範囲とのずれが大きい場合に、マスターの色再現範囲内の色を再現できないことが生じうるため、表示色を合わせることが困難であった。また、表示色を調整する色調整装置を各拠点に備える必要があるため、システムが複雑になりやすく、コストが上昇してしまうという問題も有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示システムは、第１の画像表示装置が接続された第１のクライアントと、前記第１の画像表示装置が表示する画像を撮像する第１の撮像装置と、第２の画像表示装置が接続された第２のクライアントと、前記第２の画像表示装置が表示する画像を撮像する第２の撮像装置と、前記第１のクライアント及び前記第２のクライアントにネットワークを介して接続され、前記第１のクライアント及び前記第２のクライアントとの間で画像情報の入出力を行うサーバーと、を備えた画像表示システムであって、前記サーバーは、色見本を含んで構成されるカラーチャートを表示するためのカラーチャート画像情報を記憶する記憶部と、前記第１のクライアント及び前記第２のクライアントに前記カラーチャート画像情報を出力して、前記第１の画像表示装置及び前記第２の画像表示装置に前記カラーチャートを表示させるカラーチャート出力部と、前記第１の画像表示装置に表示された前記カラーチャートを前記第１の撮像装置で撮像して生成された第１の撮像画像情報が前記第１のクライアントから入力されるとともに、前記第２の画像表示装置に表示された前記カラーチャートを前記第２の撮像装置で撮像して生成された第２の撮像画像情報が前記第２のクライアントから入力される撮像画像入力部と、前記第１の撮像画像情報に基づいて、前記第１の画像表示装置に関して色空間の変換を行う第１のモニタープロファイルを生成するとともに、前記第２の撮像画像情報に基づいて、前記第２の画像表示装置に関して色空間の変換を行う第２のモニタープロファイルを生成するモニタープロファイル生成部と、前記第１のクライアント又は前記第２のクライアントから入力された前記画像情報が表す色を、前記第１のモニタープロファイル及び前記第２のモニタープロファイルに基づいて変換する色変換処理を行って、前記第１の画像表示装置と前記第２の画像表示装置のカラーマッチングを行い、前記色変換処理後の画像情報を前記第１のクライアント及び前記第２のクライアントの双方に出力する処理部と、を備え、前記第１のクライアントは、前記処理後の画像情報に基づく画像を前記第１の画像表示装置に表示させ、前記第２のクライアントは、前記処理後の画像情報に基づく画像を前記第２の画像表示装置に表示させることを特徴とする。
【０００７】
この画像表示システムによれば、サーバーは、第１のクライアント及び第２のクライアントにカラーチャート画像情報を出力して、第１の画像表示装置及び第２の画像表示装置にカラーチャートを表示させる。そして、表示されたカラーチャートを第１の撮像装置及び第２の撮像装置で撮像して生成された第１の撮像画像情報及び第２の撮像画像情報がサーバーに入力されると、サーバーは、これらの撮像画像情報に基づいて、第１のモニタープロファイル及び第２のモニタープロファイルを生成する。そして、サーバーは、第１のクライアント又は第２のクライアントから画像情報が入力されると、この画像情報が表す色を、第１のモニタープロファイル及び第２のモニタープロファイルに基づいて変換する処理を行って、第１の画像表示装置と第２の画像表示装置のカラーマッチングを行う。このように、サーバーがモニタープロファイルを生成するため、モニタープロファイルが未知の画像表示装置を利用する場合であっても、画像表示装置に表示される色を容易に合わせることが可能となる。また、色変換をサーバーが行うため、各クライアントは、サーバーから入力される処理後の画像情報に基づいて画像を表示させればよく、クライアント側の処理が重くならずに済む。
【０００８】
［適用例２］上記適用例に係る画像表示システムにおいて、前記記憶部は、前記第１の撮像装置に関して色空間の変換を行う第１の入力プロファイル、及び前記第２の撮像装置に関して色空間の変換を行う第２の入力プロファイルをさらに記憶しており、前記モニタープロファイル生成部は、前記カラーチャート画像情報、前記第１の撮像画像情報、前記第２の撮像画像情報、前記第１の入力プロファイル、及び前記第２の入力プロファイルに基づいて、前記第１のモニタープロファイル及び前記第２のモニタープロファイルを生成することが望ましい。
【０００９】
［適用例３］上記適用例に係る画像表示システムにおいて、前記モニタープロファイル生成部は、前記第１の撮像画像情報及び前記第２の撮像画像情報に基づいて、前記カラーチャートに含まれる前記色見本の色データを導出し、前記第１の入力プロファイル及び前記第２の入力プロファイルに基づいて、前記色データを所定の色空間上の物理データに変換し、前記物理データ及び前記カラーチャート画像情報に基づいて、前記第１のモニタープロファイル及び前記第２のモニタープロファイルを生成することが望ましい。
【００１０】
［適用例４］上記適用例に係る画像表示システムにおいて、前記処理部は、前記画像情報が表す色を、前記第１の画像表示装置で表示可能な色域と、前記第２の画像表示装置で表示可能な色域とが交わる共通色域内に収まるように変換する処理を行うことが望ましい。
【００１１】
［適用例５］上記適用例に係る画像表示システムにおいて、前記サーバーは、前記第１のモニタープロファイル及び前記第２のモニタープロファイルに基づいて前記共通色域を導出し、前記画像情報が表す色を前記共通色域内の色に変換する変換テーブルを生成する変換テーブル生成部をさらに備え、前記処理部は、前記第１のクライアント又は前記第２のクライアントから入力された前記画像情報に対して、前記変換テーブルに基づいて前記色変換処理を行うことが望ましい。
【００１２】
［適用例６］本適用例に係る画像表示システムの制御方法は、第１の画像表示装置が接続された第１のクライアントと、前記第１の画像表示装置が表示する画像を撮像する第１の撮像装置と、第２の画像表示装置が接続された第２のクライアントと、前記第２の画像表示装置が表示する画像を撮像する第２の撮像装置と、前記第１のクライアント及び前記第２のクライアントにネットワークを介して接続され、前記第１のクライアント及び前記第２のクライアントとの間で画像情報の入出力を行うサーバーと、を備えた画像表示システムの制御方法であって、前記サーバーが、色見本を含んで構成されるカラーチャートを表示するためのカラーチャート画像情報を、前記第１のクライアント及び前記第２のクライアントに出力して、前記第１の画像表示装置及び前記第２の画像表示装置に前記カラーチャートを表示させるカラーチャート出力ステップと、前記第１のクライアントが、前記第１の画像表示装置に表示された前記カラーチャートを前記第１の撮像装置で撮像して生成された第１の撮像画像情報を前記サーバーに出力するとともに、前記第２のクライアントが、前記第２の画像表示装置に表示された前記カラーチャートを前記第２の撮像装置で撮像して生成された第２の撮像画像情報を前記サーバーに出力する撮像画像出力ステップと、前記サーバーが、前記第１の撮像画像情報に基づいて、前記第１の画像表示装置に関して色空間の変換を行う第１のモニタープロファイルを生成するとともに、前記第２の撮像画像情報に基づいて、前記第２の画像表示装置に関して色空間の変換を行う第２のモニタープロファイルを生成するモニタープロファイル生成ステップと、前記サーバーが、前記第１のクライアント又は前記第２のクライアントから入力された前記画像情報が表す色を、前記第１のモニタープロファイル及び前記第２のモニタープロファイルに基づいて変換する色変換処理を行って、前記第１の画像表示装置と前記第２の画像表示装置のカラーマッチングを行い、前記色変換処理後の画像情報を前記第１のクライアント及び前記第２のクライアントの双方に出力する処理ステップと、前記第１のクライアントが、前記処理後の画像情報に基づく画像を前記第１の画像表示装置に表示させるとともに、前記第２のクライアントが、前記処理後の画像情報に基づく画像を前記第２の画像表示装置に表示させる表示ステップと、を備えたことを特徴とする。
【００１３】
この画像表示システムの制御方法によれば、サーバーは、第１のクライアント及び第２のクライアントにカラーチャート画像情報を出力して、第１の画像表示装置及び第２の画像表示装置にカラーチャートを表示させる。そして、表示されたカラーチャートを第１の撮像装置及び第２の撮像装置で撮像して生成された第１の撮像画像情報及び第２の撮像画像情報がサーバーに入力されると、サーバーは、これらの撮像画像情報に基づいて、第１のモニタープロファイル及び第２のモニタープロファイルを生成する。そして、サーバーは、第１のクライアント又は第２のクライアントから画像情報が入力されると、この画像情報が表す色を、第１のモニタープロファイル及び第２のモニタープロファイルに基づいて変換する処理を行って、第１の画像表示装置と第２の画像表示装置のカラーマッチングを行う。このように、サーバーがモニタープロファイルを生成するため、モニタープロファイルが未知の画像表示装置を利用する場合であっても、画像表示装置に表示される色を容易に合わせることが可能となる。また、色変換をサーバーが行うため、各クライアントは、サーバーから入力される処理後の画像情報に基づいて画像を表示させればよく、クライアント側の処理が重くならずに済む。
【００１４】
［適用例７］上記適用例に係る画像表示システムの制御方法において、前記モニタープロファイル生成ステップでは、前記カラーチャート画像情報、前記第１の撮像画像情報、及び前記第２の撮像画像情報に加えて、前記第１の撮像装置に関して色空間の変換を行う第１の入力プロファイル、及び前記第２の撮像装置に関して色空間の変換を行う第２の入力プロファイルに基づいて、前記第１のモニタープロファイル及び前記第２のモニタープロファイルを生成することが望ましい。
【００１５】
［適用例８］上記適用例に係る画像表示システムの制御方法において、前記モニタープロファイル生成ステップでは、前記第１の撮像画像情報及び前記第２の撮像画像情報に基づいて、前記カラーチャートに含まれる前記色見本の色データを導出し、前記第１の入力プロファイル及び前記第２の入力プロファイルに基づいて、前記色データを所定の色空間上の物理データに変換し、前記物理データ及び前記カラーチャート画像情報に基づいて、前記第１のモニタープロファイル及び前記第２のモニタープロファイルを生成することが望ましい。
【００１６】
［適用例９］上記適用例に係る画像表示システムの制御方法において、前記処理ステップでは、前記画像情報が表す色を、前記第１の画像表示装置で表示可能な色域と、前記第２の画像表示装置で表示可能な色域とが交わる共通色域内に収まるように変換する処理を行うことが望ましい。
【００１７】
［適用例１０］上記適用例に係る画像表示システムの制御方法において、前記サーバーが、前記第１のモニタープロファイル及び前記第２のモニタープロファイルに基づいて前記共通色域を導出し、前記画像情報が表す色を前記共通色域内の色に変換する変換テーブルを生成する変換テーブル生成ステップをさらに備え、前記処理ステップでは、前記第１のクライアント又は前記第２のクライアントから入力された前記画像情報に対して、前記変換テーブルに基づいて前記色変換処理を行うことが望ましい。
【図面の簡単な説明】
【００１８】
【図１】画像表示システムの概略構成を示す構成図。
【図２】サーバーの概略構成を示すブロック図。
【図３】クライアントシステムの概略構成を示すブロック図。
【図４】クライアント用会議プログラムの実行時に画像表示装置に表示される画像を示す説明図。
【図５】変換テーブルを生成する際のサーバーの動作を説明するためのフローチャート。
【図６】変換テーブルの生成を説明するためのｘｙ色度図であり、（ａ）は、それぞれの画像表示装置で表示可能な色域を示す図、（ｂ）は、双方の画像表示装置で共通に表示可能な共通色域を示す図、（ｃ）は、クライアントシステムからサーバーに入力される画像情報の色域と共通色域とを示す図。
【図７】クライアントシステムから画像情報が入力された場合のサーバー処理部の機能を示す機能ブロック図。
【図８】クライアントシステムから画像情報が入力された場合のサーバーの動作を説明するためのフローチャート。
【図９】プロファイルを生成する場合のクライアントシステムの構成を示すブロック図。
【図１０】プロファイルを生成する場合のサーバーの構成を示すブロック図。
【図１１】カラーチャートを示す図。
【図１２】プロファイルの生成を説明するためのフローチャート。
【発明を実施するための形態】
【００１９】
以下、本実施形態の画像表示システムについて、図面を参照して説明する。
本実施形態の画像表示システムは、遠隔地間で会議を行うためのシステムであり、離れた場所に位置している複数の画像表示装置に共通の画像（資料等）を表示することができるようになっている。
【００２０】
図１は、画像表示システムの概略構成を示す構成図である。
図１に示すように、画像表示システム１００は、ネットワークＮＷを介して互いに接続されたサーバー１及び複数のクライアントシステム２を備えて構成されている。複数のクライアントシステム２は、それぞれ画像表示装置２２を含んでおり、互いに離れた場所（拠点Ｔ）に配置されている。なお、本実施形態では、２つの拠点Ｔにそれぞれ配置された２つのクライアントシステム２を含む例を説明するが、クライアントシステム２の数は２つに限られず、３つ以上であってもよい。また、これ以降、２つの拠点Ｔを、第１の拠点Ｔａ及び第２の拠点Ｔｂとも表記し、第１の拠点Ｔａ及び第２の拠点Ｔｂにそれぞれ配置されたクライアントシステム２を、第１のクライアントシステム２ａ及び第２のクライアントシステム２ｂとも表記し、第１のクライアントシステム２ａ及び第２のクライアントシステム２ｂに含まれる画像表示装置２２を、それぞれ第１の画像表示装置２２ａ及び第２の画像表示装置２２ｂとも表記する。
【００２１】
図２は、サーバー１の概略構成を示すブロック図である。
本実施形態のサーバー１は、画像処理装置に相当するものであり、コンピューターによって構成される。図２に示すように、サーバー１は、サーバー処理部１１（単に「処理部１１」とも表記する。）と、サーバー記憶部１２（単に「記憶部１２」とも表記する。）と、入出力インターフェイス（Ｉ／Ｆ）１３と、を有している。
【００２２】
サーバー処理部１１は、ＣＰＵ（Central Processing Unit）やＲＡＭ（Random Access Memory）等によって構成される。サーバー処理部１１は、サーバー記憶部１２に記憶されているＯＳ（Operating System）やアプリケーションプログラムを読み出し、これらのプログラムに従って様々な処理を行うことによってサーバー１の動作を制御する。
【００２３】
サーバー記憶部１２は、例えば、ハードディスクドライブであり、ＯＳやアプリケーションプログラム、各種データ等を記憶している。本実施形態のサーバー記憶部１２には、ネットワークＮＷを介した通信によって遠隔地間で会議を行うためのサーバー用会議プログラムＭＳ等が記憶されている。
【００２４】
入出力インターフェイス１３は、ネットワークＮＷに接続されており、クライアントシステム２との間でデータの入出力を行う。
【００２５】
図３は、クライアントシステム２の概略構成を示すブロック図である。
図３に示すように、クライアントシステム２は、制御装置２１と、画像表示装置２２と、撮像装置２３と、マイク２４と、スピーカー２５と、入力装置２６とを備えて構成されている。クライアントシステム２は、他のクライアントシステム２及びサーバー１とネットワークＮＷを介して接続されており、クライアントシステム２同士がサーバー１を介して通信を行うことによって遠隔地間での会議が可能になっている。
【００２６】
制御装置２１は、サーバー１に対するクライアントに相当するものであり、例えば、コンピューターによって構成される。制御装置２１は、クライアント処理部３１（単に「処理部３１」とも表記する。）と、クライアント記憶部３２（単に「記憶部３２」とも表記する。）と、入出力インターフェイス（Ｉ／Ｆ）３３とを有している。
【００２７】
クライアント処理部３１は、ＣＰＵやＲＡＭ等によって構成される。クライアント処理部３１は、クライアント記憶部３２に記憶されているＯＳやアプリケーションプログラムを読み出し、これらのプログラムに従って様々な処理を行うことによってクライアントシステム２の動作を制御する。
【００２８】
クライアント記憶部３２は、例えば、ハードディスクドライブであり、ＯＳやアプリケーションプログラム、各種データ等を記憶している。本実施形態のクライアント記憶部３２には、ネットワークＮＷを介した通信によって遠隔地間で会議を行うためのクライアント用会議プログラムＭＣ等が記憶されている。
【００２９】
入出力インターフェイス３３は、画像表示装置２２、撮像装置２３、マイク２４、スピーカー２５及び入力装置２６に接続されており、これらの装置との間でデータの入出力を行う。また、入出力インターフェイス３３は、ネットワークＮＷに接続されており、サーバー１との間でデータの入出力を行う。
【００３０】
画像表示装置２２は、例えば、液晶表示装置等によって構成され、制御装置２１から入力される画像情報に基づく画像を表示する。
【００３１】
撮像装置２３は、ＣＣＤ（Charge Coupled Device）センサー、或いはＣＭＯＳ（Complementary Metal Oxide Semiconductor）センサー等からなる撮像素子等（図示せず）を備えており、会議参加者を動画で撮像する。そして、撮像した画像（撮像画像）の画像情報を生成して制御装置２１に出力する。
【００３２】
マイク２４は、会議参加者が発した音声等を集音して音声信号を生成し、制御装置２１に出力する。スピーカー２５は、制御装置２１から入力される音声信号に基づく音声を出力するものであり、他の拠点Ｔの会議参加者が発した音声等を出力する。
【００３３】
入力装置２６は、キーボードやマウス等によって構成され、ユーザーの入力操作を受け付けて、制御装置２１に伝達する。
【００３４】
図４は、クライアント用会議プログラムＭＣの実行時に画像表示装置２２に表示される画像（表示画面）を示す説明図である。ユーザーが入力装置２６によってクライアント用会議プログラムＭＣの起動を指示すると、クライアント処理部３１は、このプログラムをクライアント記憶部３２から読み出して実行し、画像表示装置２２に図４に示す表示画面Ｗｍを表示させる。
【００３５】
図４に示すように、表示画面Ｗｍは、第１の参加者表示領域Ａ１、第２の参加者表示領域Ａ２、資料表示領域Ａ３及び操作領域Ａ４等を含んでいる。
【００３６】
第１の参加者表示領域Ａ１は、いずれか１つの拠点Ｔの撮像画像（会議参加者）を表示する領域であり、本実施形態のように２つの拠点Ｔ間で会議を行う場合には、相手側の拠点Ｔの撮像画像が表示される。なお、３つ以上の拠点Ｔ間で会議を行う場合には、マイク２４で集音された音声等によって発言者を特定して、発言者のいる拠点Ｔの撮像画像を表示するようにしてもよいし、ユーザー（会議参加者自身又はオペレーター）が指定した拠点Ｔの撮像画像を表示するようにしてもよい。第２の参加者表示領域Ａ２は、他の拠点Ｔの撮像画像、即ち第１の参加者表示領域Ａ１に撮像画像が表示される拠点Ｔ以外の撮像画像を表示する領域であり、２つの拠点Ｔ間で会議を行う場合には、自らの拠点Ｔの撮像画像が表示される。また、３つ以上の拠点Ｔ間で会議を行う場合には、複数の拠点Ｔの撮像画像が横一列に表示される。
【００３７】
資料表示領域Ａ３は、会議中に参照する資料等の画像（以降、「参照画像Ｒｐ」と呼ぶ。）を表示する領域であり、いずれかの拠点Ｔのユーザーによって指定された画像が表示される。この資料表示領域Ａ３に表示される参照画像Ｒｐは、すべての拠点Ｔで共通に表示される画像であり、各拠点Ｔの画像表示装置２２間で色合わせ（カラーマッチング）がなされた状態で表示される。なお、参照画像Ｒｐは、クライアント記憶部３２にファイルとして記憶されているものでもよいし、撮像装置２３以外の図示しない各種撮像手段（ビデオカメラや書画カメラ等）で撮像している画像であってもよい。
【００３８】
操作領域Ａ４は、ユーザーが各種操作を行うための複数のアイコンやメニュー等を含んでいる。ユーザーは、操作領域Ａ４に対して操作を行うことにより、会議の開始や終了を指示したり、資料表示領域Ａ３に表示させる参照画像Ｒｐを指定したりすることができる。
【００３９】
各拠点Ｔのクライアントシステム２において、画像表示装置２２に表示画面Ｗｍが表示されると、制御装置２１は、自らの拠点Ｔの撮像装置２３で生成される画像情報をサーバー１に順次出力する。また、ユーザーが資料表示領域Ａ３に表示すべき参照画像Ｒｐを指定した場合には、制御装置２１は、この参照画像Ｒｐの画像情報をサーバー１に出力するとともに、この画像情報がカラーマッチングすべき画像情報であることをサーバー１に通知する。サーバー１は、各拠点Ｔのクライアントシステム２（制御装置２１）から画像情報が入力されると、この画像情報に必要に応じて画像処理を行って、処理後の画像情報を双方のクライアントシステム２に供給する。なお、制御装置２１とサーバー１との間で入出力される画像情報は、ＲＧＢ色空間で表された画像情報である。
【００４０】
クライアントシステム２の制御装置２１は、サーバー１から供給される画像情報に基づいて、表示画面Ｗｍの第１の参加者表示領域Ａ１及び第２の参加者表示領域Ａ２に撮像画像を表示するとともに、資料表示領域Ａ３に参照画像Ｒｐを表示する。このように、表示画面Ｗｍ内に表示される撮像画像や参照画像Ｒｐは、自らの拠点Ｔの撮像装置２３で撮像された撮像画像や、自らの拠点Ｔで指定した参照画像Ｒｐであっても、サーバー１から供給される画像情報に基づいて表示がなされる。
【００４１】
次に、サーバー１の動作について説明する。
図２に戻って、サーバー記憶部１２には、各拠点Ｔの画像表示装置２２のプロファイルＰａ，Ｐｂ、即ち第１の画像表示装置２２ａのプロファイルＰａ（以降、「第１のプロファイルＰａ」とも表記する。）及び第２の画像表示装置２２ｂのプロファイルＰｂ（以降、「第２のプロファイルＰｂ」とも表記する。）が記憶されている。プロファイルとは、異なる装置間で色の表示を合わせるために用いられるデータ群であり、装置に依存する色空間（例えば、ＲＧＢ色空間）と、装置に依存しない色空間（例えば、ＸＹＺ色空間）とを相互に変換可能な変換テーブル等を含んでいる。プロファイルのフォーマットとしては、ＩＣＣ（International Color Consortium）が仕様を公開しているＩＣＣプロファイルが一般に知られており、画像表示装置２２等のモニターデバイスのＩＣＣプロファイルは、モニタープロファイルとも呼ばれる。これらのプロファイルは、画像表示装置２２の製造業者が生成してユーザーに提供する場合もあるし、ユーザーが測色計等を利用して独自に生成することも可能である。サーバー１は、ネットワークＮＷや外部の記憶媒体等を介して第１のプロファイルＰａ、及び第２のプロファイルＰｂを取得して、サーバー記憶部１２に記憶する。そして、サーバー１は、これらのプロファイルＰａ，Ｐｂに基づいて、各拠点Ｔの画像表示装置２２間でカラーマッチングを行うための変換テーブルＴｗを生成する。
【００４２】
図５は、変換テーブルＴｗを生成する際のサーバー１の動作を説明するためのフローチャートである。また、図６は、変換テーブルＴｗの生成を説明するためのｘｙ色度図であり、（ａ）は、それぞれの画像表示装置２２で表示可能な色域を示す図、（ｂ）は、双方の画像表示装置２２で共通に表示可能な共通色域を示す図、（ｃ）は、クライアントシステム２からサーバー１に入力される画像情報の色域と共通色域とを示す図である。
【００４３】
まず、サーバー処理部１１は、プロファイルＰａ，Ｐｂを取得すると、図６（ａ）に示すように、これらのプロファイルＰａ，Ｐｂに基づいて、ｘｙ色度図上における各画像表示装置２２の色域Ｇａ，Ｇｂを特定する（ステップＳ１０１）。具体的には、第１のプロファイルＰａに基づいて、第１の画像表示装置２２ａで表示可能な色域Ｇａを特定し、第２のプロファイルＰｂに基づいて、第２の画像表示装置２２ｂで表示可能な色域Ｇｂを特定する。図示するように、特定された色域Ｇａ，Ｇｂは、画像表示装置２２の機種の違い、個体差、経時変化等に応じて異なった範囲になる。そして、図６（ｂ）に示すように、サーバー処理部１１は、特定した２つの色域Ｇａ，Ｇｂが交わる領域を、すべて（双方）の画像表示装置２２で共通に表示可能な共通色域Ｇｗとして決定する（ステップＳ１０２）。
【００４４】
次に、サーバー処理部１１は、クライアントシステム２からサーバー１に入力される画像情報が表す色を、共通色域Ｇｗ内の色に変換するための変換テーブルＴｗ（図２参照）を生成する（ステップＳ１０３）。なお、本実施形態のサーバー１には、ｓＲＧＢに対応する画像情報が入力されるものとする。
【００４５】
図６（ｃ）に示すように、ｓＲＧＢの色域Ｇｓが、少なくとも一部において共通色域Ｇｗよりも外側にある場合には、サーバー処理部１１は、共通色域Ｇｗの外側の色を共通色域Ｇｗ内の色に変換可能な変換テーブルＴｗを生成する。例えば、共通色域Ｇｗの外側の色をすべて共通色域Ｇｗの境界上の色に変換するようにしてもよいし、ｓＲＧＢの色域Ｇｓの境界上の色を共通色域Ｇｗの境界上の色に変換するとともに色域Ｇｓの境界の内側の色についても、適宜補間しながら共通色域Ｇｗ内の色に変換するようにしてもよい。なお、ｓＲＧＢの色域Ｇｓよりも共通色域Ｇｗのほうが外側にある部分においては共通色域Ｇｗまで色域を拡大するようにしてもよいし、色の変換を行わないようにしてもよい。サーバー処理部１１は、生成した変換テーブルＴｗをサーバー記憶部１２に記憶する。
【００４６】
次に、クライアントシステム２から画像情報が入力された場合のサーバー１の動作について説明する。
【００４７】
図７は、クライアントシステム２から画像情報が入力された場合のサーバー処理部１１の機能を示す機能ブロック図であり、各機能は、サーバー用会議プログラムＭＳよって実現される。また、図８は、クライアントシステム２から画像情報が入力された場合のサーバー１の動作を説明するためのフローチャートである。
【００４８】
図７に示すように、サーバー処理部１１は、画像判別部１５、色空間変換部１６、色変換部１７、色空間変換部１８、画像情報出力部１９を含んで構成される。サーバー１の入出力インターフェイス１３には、各クライアントシステム２からＲＧＢで表される画像情報が入力され、この画像情報は、画像判別部１５に入力される。
【００４９】
画像判別部１５は、クライアントシステム２からの通知に基づいて、入力された画像情報が、カラーマッチングが必要な画像情報であるか否か、即ち参照画像Ｒｐを表す画像情報であるか否かを判別する（ステップＳ２０１）。そして、参照画像Ｒｐを表す画像情報については、色空間変換部１６に出力し、他の画像情報については、画像情報出力部１９に出力する。なお、本実施形態では、カラーマッチングが必要な画像情報であるか否かをクライアントシステム２からの通知に基づいて判別しているが、この態様に限定されず、例えば、画像判別部１５が画像情報の種別を検出して、種別に応じて判別するようにしてもよい。画像情報の種別としては、例えば、静止画か動画かを検出するようにしてもよいし、画像情報のファイル形式を検出してもよい。
【００５０】
色空間変換部１６は、サーバー記憶部１２に記憶されているプロファイルＰａ，Ｐｂに基づいて、画像判別部１５から入力された画像情報に対して色空間の変換を行う（ステップＳ２０２）。具体的には、画像情報が第１のクライアントシステム２ａから入力された場合には、色空間変換部１６は、第１のプロファイルＰａに基づいて、ＲＧＢ色空間の画像情報をＸＹＺ色空間の画像情報に変換する。また、画像情報が第２のクライアントシステム２ｂから入力された場合には、色空間変換部１６は、第２のプロファイルＰｂに基づいて、ＲＧＢ色空間の画像情報をＸＹＺ色空間の画像情報に変換する。色空間変換部１６は、変換後の画像情報を色変換部１７に出力する。
【００５１】
色変換部１７は、サーバー記憶部１２に記憶されている変換テーブルＴｗに基づいて、色空間変換部１６から入力されるＸＹＺ色空間の画像情報に対して、色を変換する処理（色変換処理）を行う（ステップＳ２０３）。この色変換により、サーバー１に入力された画像情報は、共通色域Ｇｗ内の色によって表される画像情報に変換され、カラーマッチングがなされる。色変換部１７は、変換後の画像情報を色空間変換部１８に出力する。
【００５２】
色空間変換部１８は、サーバー記憶部１２に記憶されているプロファイルＰａ，Ｐｂに基づいて、色変換部１７から入力される色変換処理後の画像情報に対して色空間の変換を行い、クライアントシステム２別に画像情報を生成する（ステップＳ２０４）。具体的には、色空間変換部１８は、ＸＹＺ色空間の画像情報を、第１のプロファイルＰａに基づいてＲＧＢ色空間の画像情報に変換することにより、第１のクライアントシステム２ａ用の画像情報を生成する。また、色空間変換部１８は、ＸＹＺ色空間の画像情報を、第２のプロファイルＰｂに基づいてＲＧＢ色空間の画像情報に変換することにより、第２のクライアントシステム２ｂ用の画像情報を生成する。色空間変換部１８は、変換後の画像情報を画像情報出力部１９に出力する。
【００５３】
画像情報出力部１９は、色空間変換部１８でクライアントシステム２別に生成された画像情報を、入出力インターフェイス１３及びネットワークＮＷを介してそれぞれ対応するクライアントシステム２に出力する（ステップＳ２０５）。具体的には、第１のクライアントシステム２ａ用の画像情報を第１のクライアントシステム２ａに出力し、第２のクライアントシステム２ｂ用の画像情報を第２のクライアントシステム２ｂに出力する。一方、画像判別部１５から画像情報出力部１９に画像情報が入力された場合には、画像情報出力部１９は、すべて（双方）のクライアントシステム２にこの画像情報を出力する（ステップＳ２０６）。
【００５４】
各クライアントシステム２は、サーバー１から入力される画像情報に基づく画像を、画像表示装置２２に表示する。具体的には、第１のクライアントシステム２ａの制御装置２１は、サーバー１から入力される画像情報に基づく画像のうち、会議参加者を撮像した撮像画像を表示画面Ｗｍの第１の参加者表示領域Ａ１及び第２の参加者表示領域Ａ２内に表示するとともに、第１のクライアントシステム２ａ用の画像情報に基づく参照画像Ｒｐを資料表示領域Ａ３内に表示する。同様に、第２のクライアントシステム２ｂの制御装置２１は、サーバー１から入力される画像情報に基づく画像のうち、会議参加者を撮像した撮像画像を表示画面Ｗｍの第１の参加者表示領域Ａ１及び第２の参加者表示領域Ａ２内に表示するとともに、第２のクライアントシステム２ｂ用の画像情報に基づく参照画像Ｒｐを資料表示領域Ａ３内に表示する。そして、資料表示領域Ａ３内に表示された参照画像Ｒｐは、共通色域Ｇｗ内の色に変換されており、すべて（双方）の画像表示装置２２において同一の色で表示される。なお、共通色域ＧｗがｓＲＧＢの色域Ｇｓに比べて小さい場合には、本来の色が再現できないことも生じ得るが、その場合であっても、表示される色は、すべての画像表示装置２２で同一である。
【００５５】
次に、画像表示装置２２のプロファイルＰａ，Ｐｂの生成について説明する。
画像表示装置２２のプロファイルＰａ，Ｐｂが製造業者から提供される場合には、プロファイルＰａ，Ｐｂをユーザーが生成する必要はなく、提供されたプロファイルＰａ，Ｐｂを用いて画像表示装置２２間のカラーマッチングを行えばよい。ただし、プロファイルＰａ，Ｐｂが製造業者から提供されない場合や、より正確なカラーマッチングを行いたい場合等には、ユーザーが自らプロファイルＰａ，Ｐｂを生成するようにしてもよい。一般に、モニターデバイスのプロファイル（モニタープロファイル）を生成するためには、測色計等の計測装置が必要となるが、本実施形態では、測色計の代わりに、プロファイルが既知の撮像装置（デジタルカメラ等）を利用することによって画像表示装置２２のプロファイルＰａ，Ｐｂを生成する。なお、撮像装置等、画像を入力する装置のＩＣＣプロファイルは、入力プロファイルとも呼ばれる。
【００５６】
図９は、プロファイルＰａ，Ｐｂを生成する場合のクライアントシステム２の構成を示すブロック図であり、図１０は、プロファイルＰａ，Ｐｂを生成する場合のサーバー１の構成を示すブロック図である。また、図１１は、カラーチャートを示す図である。
【００５７】
図９に示すように、クライアントシステム２は、会議参加者を撮像する撮像装置２３とは別に、プロファイルＰａ，Ｐｂを生成するための撮像装置として、デジタルカメラ２７を備えている。デジタルカメラ２７は、ＣＣＤセンサー、或いはＣＭＯＳセンサー等からなる撮像素子等（図示せず）を備えており、被写体を静止画で撮像し、撮像画像をＲＧＢ色空間で表す画像情報（撮像画像情報）を生成する。なお、第１のクライアントシステム２ａに含まれるデジタルカメラ２７を、第１のデジタルカメラ２７ａとも表記し、第２のクライアントシステム２ｂに含まれるデジタルカメラ２７を、第２のデジタルカメラ２７ｂとも表記する。
【００５８】
図１０に示すように、サーバー記憶部１２には、カラーチャートＣＣ（図１１参照）を表すカラーチャート画像情報Ｖｃが記憶されている。カラーチャートＣＣは、複数色の色見本を含む画像であり、カラーチャート画像情報Ｖｃは、このカラーチャートＣＣをＲＧＢ色空間で表した画像情報である。図１１に示すように、本実施形態において、カラーチャートＣＣには、色の種類や明るさが異なる２４の色見本が含まれており、サーバー１は、このカラーチャートＣＣを各拠点Ｔの画像表示装置２２に表示させてデジタルカメラ２７で撮像させ、この撮像結果に基づいてプロファイルＰａ，Ｐｂを生成する。なお、画像表示装置２２の色むら、即ち表示位置による色の変化を考慮して、各色見本の配置を変えた複数のカラーチャートＣＣを撮像するようにしてもよい。
【００５９】
さらに、サーバー記憶部１２には、各デジタルカメラ２７の入力プロファイルＰｉａ，Ｐｉｂ、即ち第１のデジタルカメラ２７ａの入力プロファイルＰｉａ（以降、「第１の入力プロファイルＰｉａ」とも表記する。）及び第２のデジタルカメラ２７ｂの入力プロファイルＰｉｂ（以降、「第２の入力プロファイルＰｉｂ」とも表記する。）が記憶されている。これらの入力プロファイルＰｉａ，Ｐｉｂは、デジタルカメラ２７の製造業者が生成してユーザーに提供する場合もあるし、ユーザーが独自に生成することも可能である。サーバー１は、ネットワークＮＷや外部の記憶媒体等を介して各拠点Ｔのデジタルカメラ２７の入力プロファイルＰｉａ，Ｐｉｂを取得して、サーバー記憶部１２に記憶する。
【００６０】
図１２は、プロファイルＰａ，Ｐｂの生成を説明するためのフローチャートである。
図１２に示すように、まず、サーバー１は、プロファイルＰａ，Ｐｂの生成が指示されると、カラーチャート画像情報Ｖｃを各クライアントシステム２に出力する（ステップＳ３０１）。
【００６１】
各クライアントシステム２の制御装置２１は、入力されるカラーチャート画像情報Ｖｃに基づいて画像表示装置２２にカラーチャートＣＣを表示させる（ステップＳ３０２）。そして、各クライアントシステム２は、画像表示装置２２に表示されたカラーチャートＣＣをデジタルカメラ２７で撮像し（ステップＳ３０３）、デジタルカメラ２７が生成した撮像画像情報を制御装置２１からサーバー１に出力する（ステップＳ３０４）。つまり、カラーチャートＣＣを撮像して生成された撮像画像情報がサーバー１に入力される。なお、カラーチャートＣＣが複数ある場合には、複数のカラーチャートＣＣを順次撮像して、複数の撮像画像情報をサーバー１に出力する。ここで、デジタルカメラ２７が生成した撮像画像情報をサーバー１に出力する際には、デジタルカメラ２７を制御装置２１に有線又は無線で接続するようにしてもよいし、撮像画像情報が記録されたメモリーカード等の記憶媒体をデジタルカメラ２７から取り外して制御装置２１に接続するようにしてもよい。また、上述した入力プロファイルＰｉａ，Ｐｉｂを各クライアントシステム２からサーバー１に送信する場合には、撮像画像情報と一緒に送信するようにしてもよいし、撮像画像情報内に入力プロファイルＰｉａ，Ｐｉｂを含めるようにすることも可能である。
【００６２】
サーバー１は、各拠点Ｔのクライアントシステム２から撮像画像情報が入力されると、それぞれの撮像画像情報に基づいて、ＲＧＢ色空間上における各色見本の色データ（ＲＧＢそれぞれの明度を表す数値）を、クライアントシステム２毎、即ち画像表示装置２２毎に導出する（ステップＳ３０５）。例えば、各色見本の中心位置の色データを抽出するようにしてもよいし、各色見本について複数の位置の色データを抽出してこれらの平均値を用いるようにしてもよい。また、各色見本の配置を変えた複数のカラーチャートＣＣを用いる場合のように、同一色の色見本が複数ある場合には、それぞれの色データをさらに平均すればよい。
【００６３】
その後、サーバー１は、サーバー記憶部１２に記憶されている入力プロファイルＰｉａ，Ｐｉｂに基づいて、導出した各色見本の色データに対して色空間の変換を行う（ステップＳ３０６）。具体的には、撮像画像情報が第１のクライアントシステム２ａから入力された場合には、サーバー１は、第１の入力プロファイルＰｉａに基づいて、ＲＧＢ色空間における色データをＸＹＺ色空間における物理データ（ＸＹＺそれぞれの数値）に変換する。また、撮像画像情報が第２のクライアントシステム２ｂから入力された場合には、サーバー１は、第２の入力プロファイルＰｉｂに基づいて、ＲＧＢ色空間における色データをＸＹＺ色空間における物理データに変換する。このように、サーバー１は、各拠点Ｔのクライアントシステム２毎、即ち画像表示装置２２毎に各色見本の物理データを導出する。
【００６４】
次に、サーバー１は、導出した各色見本の物理データと、サーバー記憶部１２に記憶されているカラーチャート画像情報Ｖｃとに基づいて、各拠点Ｔの画像表示装置２２におけるＲＧＢ色空間と、ＸＹＺ色空間との相関を導く。そして、この相関に基づいてプロファイルＰａ，Ｐｂを生成し（ステップＳ３０７）、サーバー記憶部１２に記憶する。
【００６５】
以上のようにしてプロファイルＰａ，Ｐｂが生成されると、サーバー１は、上述したようなカラーマッチングを実施する。即ち、生成されたプロファイルＰａ，Ｐｂに基づいて共通色域Ｇｗを導出し、入力される画像情報が表す色を共通色域Ｇｗ内の色に変換するための変換テーブルＴｗを生成する。そして、クライアントシステム２から入力された画像情報に対して、変換テーブルＴｗを用いた色変換処理等を行って、処理後の画像情報をクライアントシステム２に送信する。この結果、表示画面Ｗｍ内の参照画像Ｒｐは、すべての画像表示装置２２において同一の色で表示される。
【００６６】
以上説明したように、本実施形態の画像表示システム１００によれば、以下の効果を得ることができる。
【００６７】
（１）本実施形態の画像表示システム１００によれば、サーバー１は、第１の画像表示装置２２ａのプロファイルＰａ（第１のプロファイルＰａ）、及び第２の画像表示装置２２ｂのプロファイルＰｂ（第２のプロファイルＰｂ）に基づいて、入力される画像情報が表す色を、第１の画像表示装置２２ａが表示可能な色域Ｇａと、第２の画像表示装置２２ｂが表示可能な色域Ｇｂとが交わる共通色域Ｇｗ内に収まるように変換するための変換テーブルＴｗを生成する。そして、サーバー１は、クライアントシステム２から入力された画像情報に対して、生成した変換テーブルＴｗに基づいた色変換処理を行うため、第１の画像表示装置２２ａに表示される色と、第２の画像表示装置２２ｂに表示される色を合わせることが可能となる。また、色変換処理をサーバー１が行うため、各クライアントシステム２は、サーバー１から入力される処理後の画像情報に基づいて画像を表示させればよく、クライアントシステム２側の処理が重くならずに済む。
【００６８】
（２）本実施形態の画像表示システム１００によれば、サーバー１は、各クライアントシステム２にカラーチャート画像情報Ｖｃを出力して、第１の画像表示装置２２ａ及び第２の画像表示装置２２ｂにカラーチャートＣＣを表示させる。そして、サーバー１は、表示されたカラーチャートＣＣをデジタルカメラ２７で撮像して生成された撮像画像情報に基づいて、各画像表示装置２２のプロファイルＰａ，Ｐｂを生成する。このため、プロファイルが未知の画像表示装置２２を利用する場合であっても、各画像表示装置２２に表示される色を合わせることが可能となる。
【００６９】
なお、本実施形態において、ステップＳ１０１〜Ｓ１０３は、変換テーブル生成ステップに相当し、ステップＳ１０１〜Ｓ１０３を実行して変換テーブルＴｗを生成する際のサーバー処理部１１が変換テーブル生成部に相当する。また、ステップＳ２０２〜Ｓ２０５は、処理ステップに相当し、このうち、ステップＳ２０２が第１の色空間変換ステップ、ステップＳ２０３が色変換ステップ、ステップＳ２０４が第２の色空間変換ステップに相当する。また、ステップＳ３０１は、カラーチャート出力ステップに相当し、ステップＳ３０１を実行して画像表示装置２２にカラーチャートＣＣを表示させる際のサーバー処理部１１及び入出力インターフェイス１３がカラーチャート出力部に相当する。また、ステップＳ３０４は、撮像画像出力ステップに相当し、各クライアントシステム２から撮像画像情報が入力される際のサーバー処理部１１及び入出力インターフェイス１３が撮像画像入力部に相当する。また、ステップＳ３０５〜Ｓ３０７は、モニタープロファイル生成ステップに相当し、ステップＳ３０５〜Ｓ３０７を実行してプロファイルＰａ，Ｐｂを生成する際のサーバー処理部１１がモニタープロファイル生成部に相当する。
【００７０】
（変形例）
また、上記実施形態は、以下のように変更してもよい。
【００７１】
上記実施形態において、画像表示装置２２は、液晶表示装置に限定されない。例えば、光源から射出された光を画像情報に応じて変調してスクリーン等の投写面に投写するプロジェクターを用いることも可能である。また、プラズマディスプレイや、有機ＥＬ（Electro Luminescence）ディスプレイ等を用いてもよい。
【００７２】
上記実施形態において、クライアントシステム２の制御装置２１として、画像表示装置２２等を一体的に備えたノート型のパーソナルコンピューターを用いてもよい。
【００７３】
上記実施形態において、ネットワークＮＷとしては、インターネット等の公衆ネットワークを利用してもよいし、ＬＡＮ（Local Area Network）や専用回線を利用してもよい。
【００７４】
上記実施形態では、クライアントシステム２の制御装置２１がクライアント用会議プログラムＭＣを実行することによって画像表示装置２２に表示画面Ｗｍを表示させるようにしているが、この態様に限定されない。例えば、制御装置２１が汎用の閲覧プログラム（ブラウザー）によってサーバー１から表示画面Ｗｍの供給を受けるようにしてもよい。
【００７５】
上記実施形態では、サーバー１とクライアントシステム２との間で、ＲＧＢ色空間で表される画像情報を入出力するようにしているが、他の色空間（例えば、ＹＣｂＣｒ色空間やＹＰｂＰｒ色空間等）で表される画像情報を用いるようにしてもよい。また、上記実施形態では、装置に依存しない色空間としてＸＹＺ色空間を用いているが、他の色空間（例えば、Ｌ*ａ*ｂ*色空間等）を用いるようにしてもよい。
【００７６】
上記実施形態では、サーバー１は、各画像表示装置２２のプロファイルＰａ，Ｐｂを生成する際に、クライアントシステム２から入力された撮像画像情報に基づいて、カラーチャートＣＣの各色見本の色データを導き、この色データをＸＹＺ色空間における物理データに変換しているが、この態様に限定されない。例えば、各色見本の色データを導かずに、入力された撮像画像情報の色空間をＸＹＺ色空間に変換し、変換後の撮像画像情報から各色見本の物理データを導くようにしてもよい。
【００７７】
上記実施形態では、撮像すべき色見本のすべて（上記実施形態では、２４色）が１つのカラーチャートＣＣに含まれているが、複数のカラーチャートＣＣに分散させて、複数回の撮像を行うようにしてもよい。
【符号の説明】
【００７８】
１…サーバー、２…クライアントシステム、２ａ…第１のクライアントシステム、２ｂ…第２のクライアントシステム、１１…サーバー処理部、１２…サーバー記憶部、１３…入出力インターフェイス、１５…画像判別部、１６…色空間変換部、１７…色変換部、１８…色空間変換部、１９…画像情報出力部、２１…制御装置、２２…画像表示装置、２２ａ…第１の画像表示装置、２２ｂ…第２の画像表示装置、２３…撮像装置、２４…マイク、２５…スピーカー、２６…入力装置、２７…デジタルカメラ、２７ａ…第１のデジタルカメラ、２７ｂ…第２のデジタルカメラ、３１…クライアント処理部、３２…クライアント記憶部、３３…入出力インターフェイス、１００…画像表示システム、ＮＷ…ネットワーク、Ｔ…拠点、Ｔａ…第１の拠点、Ｔｂ…第２の拠点、Ｗｍ…表示画面、Ａ１…第１の参加者表示領域、Ａ２…第２の参加者表示領域、Ａ３…資料表示領域、Ａ４…操作領域、Ｒｐ…参照画像、ＣＣ…カラーチャート、Ｖｃ…カラーチャート画像情報、Ｇａ，Ｇｂ，Ｇｓ…色域、Ｇｗ…共通色域、Ｔｗ…変換テーブル、ＭＳ…サーバー用会議プログラム、ＭＣ…クライアント用会議プログラム、Ｐａ…第１のプロファイル、Ｐｂ…第２のプロファイル、Ｐｉａ…第１の入力プロファイル、Ｐｉｂ…第２の入力プロファイル。
【図１】
2013097649.tif 000003
【図２】
2013097649.tif 000004
【図３】
2013097649.tif 000005
【図４】
2013097649.tif 000006
【図５】
2013097649.tif 000007
【図６】
2013097649.tif 000008
【図７】
2013097649.tif 000009
【図８】
2013097649.tif 000010
【図９】
2013097649.tif 000011
【図１０】
2013097649.tif 000012
【図１２】
2013097649.tif 000013
【図１１】
2013097649.tif 000014